(57)【特許請求の範囲】
【請求項１】
上下３段に水平に段積して取り付けたプラグイン式母線バーのうち上段に配置した母線バーの端部に直線方向の接続部を形成するとともに、他の中段及び下段の母線バーの端部に長手方向に対して相互に反対方向を向くように横方向に折曲させた接続部を形成し、また、前記上段に配置した母線バーの接続部に対応する上段用接続保持部を形成したうえ該上段用接続保持部の下方側部に前記中段の母線バーの接続部と下段の母線バーの接続部とに対応する中段用接続保持部と下段用接続保持部を互いに左右段違いに設けてなる端子ブロックに、上段用接続保持部の下側に中段の母線バー及び下段の母線バーのコーナー部が入り込むための空間部を設けたことを特徴とするプラグイン式母線バーの接続構造
【請求項２】
端子ブロックの底面に設けた弾性片を取付台に設けた係合孔に嵌合して、端子ブロックを各母線バーと取付台との間に保持させた請求項１に記載のプラグイン式母線バーの接続構造
【発明の詳細な説明】
【０００１】
【発明の属する技術分野】
本発明は、プラグイン式母線バーと主幹ブレーカに接続するためのリードバーや２次送り用接続バーとを接続するためのプラグイン式母線バーの接続構造に関するものである。
【０００２】
【従来の技術】
従来、プラグイン式母線バーにおいて母線バーとリードバーとを接続するには、図１１に示すように母線バー１０１の長さを下から上に向け順に短くして、各母線バー１０１の端部に形成した接続部１０２が階段状に上方から露呈するようにしてリードバー１０３を接続できるようにしたものであった。
【０００３】
【発明が解決しようとする課題】
ところが、この従来のものにあっては、接続部１０２を母線バー１０１の長さを下から上に向け順に短くして、その端部に階段状に形成しているため、接続部の長手方向の長さが長くなり、そのため、このような接続部を形成した母線バーを使用した分電盤、配電盤が小型化するための障害となっていた。そのため、接続部全体の長さが短くすることのできるプラグイン式母線バーの接続構造が待望されていた。
【０００４】
【課題を解決するための手段】
前記の待望に応えるためになされた本発明のプラグイン式母線バーの接続構造は、上下３段に水平に段積して取り付けたプラグイン式母線バーのうち上段に配置した母線バーの端部に直線方向の接続部を形成するとともに、他の中段及び下段の母線バーの端部に長手方向に対して相互に反対方向を向くように横方向に折曲させた接続部を形成し、また、前記上段に配置した母線バーの接続部に対応する上段用接続保持部を形成したうえ該上段用接続保持部の下方側部に前記中段の母線バーの接続部と下段の母線バーの接続部とに対応する中段用接続保持部と下段用接続保持部を互いに左右段違いに設けてなる端子ブロックに、上段用接続保持部の下側に中段の母線バー及び下段の母線バーのコーナー部が入り込むための空間部を設けたものを請求項１に係る発明とする。この請求項１の発明において、端子ブロックの底面に設けた弾性片を取付台に設けた係合孔に嵌合して、端子ブロックを各母線バーと取付台との間に保持させたたものを請求項２に記載の発明とする。
【０００５】
【発明の実施の形態】
次に、本発明の好ましい実施の形態を示す。
１は取付台２に母線支持部３により上下３段に水平に段積して取り付けたプラグイン式母線バーである。この母線バー１のうち上段の母線バー１１は端部に直線方向に接続部１１ａを形成し、中段及び下段の２本の母線バー１２、１３の端部に長手方向に対して相互に反対方向を向くように横方向に折曲させた接続部１２ａ，１３ａを形成している。すなわち、中段となる母線バー１２の接続部１２ａを右側に下段となる母線バー１３の接続部１３ａを左側に折曲させて、全接続部１１ａ、１２ａ、１３ａが重なることなく取付台２の側方に左右略一列状に配置されている。
【０００６】
４はプラグイン式母線バー１の各接続部１１ａ、１２ａ、１３ａにリードバーを接続するためのナットを保持するフェノール樹脂等の絶縁材よりなる端子ブロックであり、該端子ブロック４は前記取付台２に支持させる脚台部４１の内側上部に前記直線方向の接続部１１ａに使用するナットを保持するナット保持凹部４２ａ付きの上段用接続保持部４２を形成するとともに該上段用接続保持部４２下方側部に位置にさせて前記中段となる母線バー１２の接続部１２ａと下段となる母線バー１３の接続部１３ａに使用するナットを保持するナット保持凹部４３ａ、４４ａ付きの中段用接続保持部４３と下段用接続保持部４４を前記直線方向の接続部１１ａに対応する上段用接続保持部４２に対して互いに左右に段違いに連設して形成している。また、上段用接続保持部４２の下側には中段となる母線バー１２と下段となる母線バー１３のコーナー部が入り込むための空間部４１ｂが形成されているうえ、直線方向に接続部１１ａを形成した母線バーに対応する接続保持部４２に対して、母線バーの長手方向に対して相互に反対方向を向くように横方向に折曲させた接続部１２ａ、１３ａの各接続保時部４３、４４を左右互いに段違いに設けてあるので端子ブロックを取付けた状態での母線バーの長手方向の長さを短くすることができる。
【０００７】
また、前記上段用接続保持部４２の両側には該上段用接続保持部４２に保持される直線方向の接続部１１ａの両側を絶縁する絶縁隔壁４２ｂ、４２ｂが設けられている。また、端子ブロック４の底面すなわち脚台部４１の底面外側には弾性片４１ａが埋没可能に突設されており、該脚台部４１を取付台２の側方から弾性片４１ａを取付台２に当接して埋没させたうえスライドさせて取付台２に設けた係止孔２ａに係合させるとともに前記上段用接続保持部４２、中段用接続保持部４３及び下段用接続保持部４４をプラグイン式母線バー１の各接続部１１ａ、１２ａ、１３ａの保持位置に位置させて端子ブロック４を取付台２とプラグイン式母線バー１との間に保持させている。
【０００８】
さらに、前記各ナット保持凹部４２ａ、４３ａ、４４ａの中央下方にはボルト先端を逃がす筒孔部４６が連設されている。そして、下段用接続保持部４３及び中段用接続保持部のナット保持凹部４４ａ，４３ａの各筒孔部４６の先端を端子ブロック４の底面側より突出させて、該突出部が前記取付台２の側部から設けたＵ字形切欠凹部２１に係合させて、端子ブロック４を取付台２に対してスライドして取り付ける際のガイド及び位置決めとしている。
【０００９】
このように構成されたものは、プラグイン式母線バーのうち直線方向に接続部を形成した上段の母線バーの接続保持部に対して、母線バーの長手方向に対して相互に反対方向を向くように横方向に折り曲げて接続部を形成した中段及び下段の母線バーの各接続部に対応する接続保持部を左右互いに段違いに設けた端子ブロックとしたので、母線バーの長手方向の長さを従来の母線バーの階段状構造と比べて小さくすることができる。また、プラグイン式母線バー１の上段の母線バー１１の端部に形成した直線方向の接続部１１ａ、中段及び下段の母線バー１２、１３の端部に横方向に折曲させて形成した接続部１２ａ、１３ａは重なることなく取付台２の側方に左右略一列状に配置されているうえ、各接続部１１ａ、１２ａ，１３ａは端子ブロック４がナットを保持しているので、各接続部１１ａ、１２ａ，１３ａに図８に示すように主幹ブレーカ６に接続するためのリードバー７を接続する場合には各接続部１１ａ、１２ａ，１３ａは上方から接続作業ができるものである。
【００１０】
また、各接続部１１ａ、１２ａ，１３ａを保持する上段用接続保持部４２、中段用接続保持部４３及び下段用接続保持部４４にはナット保持凹部４２ａ、４３ａ及び４４ａが設けられているので該ナット保持凹部４２ａ、４３ａ及び４４ａにナットを嵌合してリードバー７のボルト挿通孔と各接続部１１ａ、１２ａ，１３ａに設けたボルト挿通孔１１ｂ、１２ｂ、１３ｂを挿通したボルトを螺合させてリードバー７を接続させることができるものである。
【００１１】
また、プラグイン式母線バー１の各接続部１１ａ、１２ａ、１３ａは重なることなく取付台２の側方に左右略一列状に配置されているので、接続部１１ａ，１２ａ、１３ａが母線バー１の長手方向の長さを長くとらないので、このプラグイン式母線バー１を使用することにより分電盤、配電盤を小型することができる。さらに、端子ブロックの接続保持部が互いに段違いであるためリードバーを複雑な形状にしなくてもすむため、製造コストを引き下げることができる。なお、この実施形態では直線方向に接続部１１ａがわずかに突出した左右略一列状のものであるが、完全に一列のものとしてもよい。
【００１２】
なお、中段及び下段の２本の母線バー１２、１３の端部に長手方向に対して相互に反対方向を向くように横方向に折曲させて形成した接続部１２ａ，１３ａは、上段の母線バー１１の端部に直線方向に形成した接続部１１ａのボルト挿通孔１１ｂに該折曲部の外側縁部が掛らないように図８に示すように母線バー１２、１３の本体をそのまま折曲してもよいが、図９に示すように母線バー１２、１３の本体の折曲部の外側縁部となる一点鎖線で示す箇所を切欠すれば、直線方向に接続部１１ａがある母線バーの端部の接続部に設けた孔が内側に位置させることができるため、母線バー１の長さをより短くすることができ、分電盤、配電盤を小型化することができるものである。さらに端子ブロック４の上段用接続部４２の下側に中段及び下段のコーナー部が入り込むための空間部４１ｂを設けたため、端子ブロックを取付けた状態での母線バー１の長手方向の長さを短くすることができる。
【００１３】
さらに、リードバー７を締め付けるボルト頭部の突出をおさえるため上段の母線バー１１の接続部１１ａを下方に屈曲して低く形成した場合に、接続部１１ａの両側部分の絶縁距離を補う為に上段用接続保持部４２の両側に該上段用接続保持部４２に保持される直線方向の接続部１１ａの両側を絶縁する絶縁隔壁４２ｂ、４２ｂが設けられているので、他の母線バー１２、１３及びリードバー７との絶縁を確保できるものである。なお、端子ブロック４をスライドさせて取付けた時、中段の母線バー１２のコーナー部分が上段接続用保持部４２の下側に設けた空間部４１ｂに収納されるため、一段低く形成した母線バー１１の接続部１１ａと中段の母線バー１２の接続部１２ａとの絶縁を確保することができる。また、各母線バー１１，１２，１３の接続部としてはリードバー側について説明したが、もう一方の端部の接続部である送り側も同一形状としてこれに対応する端子ブロックにより保持してよいことはもちろんである。なお、この実施形態では上段の母線バーに直線方向の接続部を設けて中段と下段の母線バーを折曲させているが、中段もしくは下段の母線バーに直線方向の接続部を設けて他の２段の母線バーを折曲させるようにして、対応するナットを保持する接続保持部を左右段違いに設けてもよい。
【００１４】
【発明の効果】
以上説明したように、本発明のプラグイン式母線バーの接続構造は、直線方向に接続部を形成した母線バーの接続保持部に対して、母線バーの長手方向に対して相互に反対方向を向くように横方向に折曲させた接続部に対応する接続保持部を左右互いに段違いに設けた端子ブロックを設うえ、端子ブロックの上段用接続部の下側に中段及び下段のコーナー部が入り込むための空間部を設けたため、端子ブロックを取付けた状態での母線バーの長手方向の長さを短くすることができる。さらにプラグイン式母線バーの各接続部は重なることなく取付台の側方に左右略一列状に配置されることとなるので、接続部が母線バーの長手方向の長さを長くとらないので、このプラグイン式母線バーを使用することにより分電盤、配電盤を小型することができるものである。さらに、端子ブロックの接続保持部が互いに段違いであるため、母線バーに接続するリードバーの形状が簡単になり製造コストを下げることができる。
よって、本発明は従来のプラグイン式母線バーの接続構造の問題点を解決したもので、業界にもたらす益大なものである。
【図面の簡単な説明】
【図１】本発明の実施形態を分解して示す斜視図である。
【図２】本発明の実施形態に使用する端子ブロックを上方から示す斜視図である。
【図３】本発明の実施形態に使用する端子ブロックを下方から示す斜視図である。
【図４】本発明の実施形態を示す斜視図である。
【図５】本発明の実施形態を示す正面図である。
【図６】本発明の実施形態に使用する上段の母線バーを示す平面図である。
【図７】本発明の実施形態に使用する中段及び下段の母線バーを示す平面図である。
【図８】本発明の実施形態に使用する上段、中段及び下段の母線バーの接続部の関係を示す平面図である。
【図９】本発明の実施形態に使用する上段、中段及び下段の母線バーの接続部の関係を示す平面図である。
【図１０】本発明のプラグイン式母線バーの接続構造を使用した分電盤を示す概略側面図である。
【図１１】従来例のプラグイン式母線バーの接続構造を使用した分電盤を示す概略図であり、（Ａ）は平面図、（Ｂ）は側面図である。
【符号の説明】
１  プラグイン式母線バー、１１  上段の母線バー、１１ａ  接続部、１２  中段の母線バー、１２ａ  接続部、１３  下段の母線バー、１３ａ  接続部、２  取付台、２ａ  係止孔、４  端子ブロック、４１  脚台部、４１ａ  弾性片、４１ｂ  空間部、４２  上段用接続保持部、４２ａ  ナット保持凹部、４２ｂ  絶縁隔壁、４３  中段用接続保持部、４３ａ  ナット保持凹部、４４  下段用接続保持部、４４ａ  ナット保持凹部連結金具
【図１】
0003748828.tif 000002
【図２】
0003748828.tif 000003
【図３】
0003748828.tif 000004
【図４】
0003748828.tif 000005
【図５】
0003748828.tif 000006
【図６】
0003748828.tif 000007
【図７】
0003748828.tif 000008
【図８】
0003748828.tif 000009
【図９】
0003748828.tif 000010
【図１０】
0003748828.tif 000011
【図１１】
0003748828.tif 000012